(57)【要約】      （修正有）【課題】入力が１点タッチであるか又は多点タッチであるかを正確に検出できるタッチパネルを提供する。【解決手段】タッチパネル１は、上部導電膜（透明導電膜２Ａ）を有する上部基板２００と、上部基板と対向する、下部導電膜（透明導電膜３Ａ）を有する下部基板３００と、下部導電膜の各辺ごとに、複数配列される点電極１１Ａ〜１４Ｃと、一端が点電極に接続され、他端が電圧供給端子１５、１６又はグランドに接続されるダイオード２１Ａ〜２４Ｃと、複数の点電極のうち、下部導電膜の４隅に配置された計４つの点電極にそれぞれ接続されるダイオードの降下電圧を監視するための電圧監視手段（端子３３〜３６）と、当該４つの点電極のうち、２つの点電極と当該２つの点電極と対向する辺に配置された他の２つの点電極との間にかかる電圧を測定するための電圧測定手段（端子３１、３２、スイッチＳＷ３〜ＳＷ６）とを備える。【選択図】図１
2020201845.tif 000002
【特許請求の範囲】
【請求項１】
上部導電膜を有する上部基板と、
前記上部基板と対向する、下部導電膜を有する下部基板と、
前記下部導電膜の各辺に、複数配列される電極と、
一端が前記電極に接続され、他端が電圧供給端子又はグランドに接続されるダイオードと、
前記複数の電極のうち、前記下部導電膜の４隅に配置された計４つの電極にそれぞれ接続される前記ダイオードの降下電圧を監視する電圧監視手段と、
前記４つの電極のうち、２つの電極と当該２つの電極と対向する辺に配置された他の２つの電極との間にかかる電圧を測定する電圧測定手段と
を備えることを特徴とするタッチパネル。
【請求項２】
前記電圧監視手段は、前記４つの電極にそれぞれ接続され、前記ダイオードの降下電圧を監視するための電圧監視端子を備え、
前記電圧測定手段は、一端が前記２つの電極の各々に接続され、他端が抵抗を介して前記電圧供給端子に接続される第１スイッチと、前記第１スイッチの前記他端に接続される第１電圧測定端子と、一端が前記他の２つの電極の各々に接続され、他端が前記グランドに接続される第２スイッチとを備えることを特徴とする請求項１に記載のタッチパネル。
【請求項３】
前記電圧測定手段は、さらに、前記下部導電膜のそれぞれの辺の略中央に配置された計４つの電極のうち、２つの電極の各々に一端が接続され、他端が抵抗を介して前記電圧供給端子に接続される第３スイッチと、前記第３スイッチの前記他端に接続される第２電圧測定端子と、一端が当該２つの電極と対向する他の２つの電極の各々に接続され、他端が前記グランドに接続される第４スイッチとを備えることを特徴とする請求項２に記載のタッチパネル。
【請求項４】
前記上部導電膜の第１方向又は当該第１方向と垂直な第２方向のいずれか一方の２辺に沿ってそれぞれ延在する２つの線電極を備え、
前記電圧測定手段は、一端が前記２つの線電極の一方に接続され、他端が抵抗を介して前記電圧供給端子に接続される第５スイッチと、前記第５スイッチの前記他端に接続される第３電圧測定端子とを備え、前記２つの線電極の他方は前記グランドに接続されることを特徴とする請求項１乃至３に記載のタッチパネル。
【発明の詳細な説明】
【技術分野】
【０００１】
本発明は、タッチパネルに関する。
【背景技術】
【０００２】
従来より、第１の導電シートに流れる電流を検出し、通常よりも電流が増加しているときに２点タッチされていると判定するタッチパネルが知られている（例えば、特許文献１参照）。
【先行技術文献】
【特許文献】
【０００３】
【特許文献１】特開平１−２６９１２０号公報
【発明の概要】
【発明が解決しようとする課題】
【０００４】
特許文献１のタッチパネルでは、ダイオードを通過した電流値を監視している。このため、温度変化等によってダイオードの降下電圧が変動した場合には、必ずしも正確な電流値を検出できず、入力が１点タッチであるか多点タッチであるかを正確に検出できないおそれがある。
【０００５】
本発明は、入力が１点タッチであるか又は多点タッチであるかを正確に検出できるタッチパネルを提供することを目的とする。
【課題を解決するための手段】
【０００６】
上記目的を達成するため、明細書に開示されたタッチパネルは、上部導電膜を有する上部基板と、前記上部基板と対向する、下部導電膜を有する下部基板と、前記下部導電膜の各辺に、複数配列される電極と、一端が前記電極に接続され、他端が電圧供給端子又はグランドに接続されるダイオードと、前記複数の電極のうち、前記下部導電膜の４隅に配置された計４つの電極にそれぞれ接続される前記ダイオードの降下電圧を監視する電圧監視手段と、前記４つの電極のうち、２つの電極と当該２つの電極と対向する辺に配置された他の２つの電極との間にかかる電圧を測定する電圧測定手段とを備えることを特徴とする。
【発明の効果】
【０００７】
本発明によれば、入力が１点タッチであるか又は多点タッチであるかを正確に検出することができる。
【図面の簡単な説明】
【０００８】
【図１】（Ａ）〜（Ｃ）は、第１の実施形態にかかるタッチパネルの構成図である。
【図２】（Ａ）及び（Ｂ）は、入力が２点タッチである場合の例を示す図である。
【図３】下部基板の第１変形例を示す図である。
【図４】（Ａ）は、上部基板の第１変形例を示す図である。（Ｂ）は、下部基板の第２変形例を示す図である。
【図５】（Ａ）は、上部基板の第２変形例を示す図である。（Ｂ）は、下部基板の第３変形例を示す図である。
【図６】１点タッチ又は２点タッチを検出する処理を示すフローチャートである。
【発明を実施するための形態】
【０００９】
以下、図面を参照しながら本発明の実施の形態を説明する。
【００１０】
図１（Ａ）〜（Ｃ）は、第１の実施形態にかかるタッチパネルの構成図である。本実施の形態で使用されるタッチパネル１は、７線式の抵抗膜型のタッチパネルである。タッチパネル１は、図１（Ａ）の上部基板２００、図１（Ｂ）の下部基板３００を備えている。タッチパネル１には図１（Ｃ）のコントローラ４０が外部接続されているが、タッチパネル１がコントローラ４０を備えていてもよい。また、本実施の形態では多点タッチの一例として２点タッチを挙げているが、これに限定されるものではない。
【００１１】
上部基板２００は、例えばフィルムで構成されている。上部基板２００の下部基板３００と対向する下面には、ＩＴＯ（Indium Tin Oxide）等の透明導電膜２Ａが形成されている。透明導電膜２Ａ及び上部基板２００は矩形である。透明導電膜２Ａ上には、入力位置を検出するために電圧を読み取るための点電極２Ｂが形成されており、点電極２Ｂは端子５を介してコントローラ４０に接続されている。点電極２Ｂの位置は図の例に限定されるものではない。
【００１２】
下部基板３００は例えばガラスで構成されている。下部基板３００の上面、つまり上部基板２００と対向する面には、ＩＴＯ等の透明導電膜３Ａが形成されている。透明導電膜３Ａ及び下部基板３００は矩形である。
【００１３】
透明導電膜３Ａの４辺に沿って、点電極１１Ａ〜１１Ｃ，１２Ａ〜１２Ｃ，１３Ａ〜１３Ｃ，１４Ａ〜１４Ｃがそれぞれ透明導電膜３Ａ上に形成されている。点電極１１Ａ〜１１Ｃ，１３Ａ〜１３Ｃは、透明導電膜３ＡのＹ方向の２辺に沿ってそれぞれ配置され、点電極１２Ａ〜１２Ｃ，１４Ａ〜１４Ｃは透明導電膜３ＡのＸ方向の２辺に沿ってそれぞれ配置されている。従って、点電極１１Ａ及び１３Ａ、点電極１１Ｂ及び１３Ｂ、並びに点電極１１Ｃ及び１３Ｃは、それぞれＸ方向で対向している。点電極１２Ａ及び１４Ａ、点電極１２Ｂ及び１４Ｂ、並びに点電極１２Ｃ及び１４Ｃは、それぞれＹ方向で対向している。透明導電膜３Ａに配置される点電極の位置及び個数は図の例に限定されるものではない。
【００１４】
下部基板３００は、ダイオード２１Ａ〜２１Ｃ，２２Ａ〜２２Ｃ，２３Ａ〜２３Ｃ，２４Ａ〜２４Ｃ、電圧供給端子１５〜１７、抵抗１８、端子３１−３６、及びスイッチＳＷ１〜ＳＷ６を備えている。スイッチＳＷ１〜ＳＷ６は、例えばトランジスタで構成されている。ダイオード２１Ａ〜２１Ｃ，２２Ａ〜２２Ｃ，２３Ａ〜２３Ｃ，２４Ａ〜２４Ｃ、電圧供給端子１５〜１７、抵抗１８、端子３１−３６、及びスイッチＳＷ１〜ＳＷ６は、透明導電膜３Ａの外側の領域、いわゆる下部基板３００の額縁領域に配置されている。
【００１５】
ダイオード２１Ａ〜２１Ｃのカソードが点電極１１Ａ〜１１Ｃにそれぞれ接続されており、ダイオード２１Ａ〜２１ＣのアノードがスイッチＳＷ１の一端に接続されている。ダイオード２２Ａ〜２２Ｃのアノードが点電極１２Ａ〜１２Ｃにそれぞれ接続されており、ダイオード２２Ａ〜２２ＣのカソードがスイッチＳＷ１の一端に接続されている。ダイオード２３Ａ〜２３Ｃのアノードが点電極１３Ａ〜１３Ｃにそれぞれ接続されており、ダイオード２３Ａ〜２３ＣのカソードがスイッチＳＷ２の一端に接続されている。ダイオード２４Ａ〜２４Ｃのカソードが点電極１４Ａ〜１４Ｃにそれぞれ接続されており、ダイオード２４Ａ〜２４ＣのアノードがスイッチＳＷ２の一端に接続されている。
【００１６】
スイッチＳＷ１の他端は、電圧供給端子１５又はグランドに接続されるか、若しくは電圧供給端子１５及びグランドのいずれにも接続されないフローティング状態になる。スイッチＳＷ２の他端は、電圧供給端子１６又はグランドに接続されるか、若しくは電圧供給端子１６及びグランドのいずれにも接続されないフローティング状態になる。スイッチＳＷ１及びスイッチＳＷ２は、２点タッチ検出時にフローティング状態になる。スイッチＳＷ１、ＳＷ２のオン・オフはコントローラ４０に制御される。電圧供給端子１５、１６には、例えば＋５Ｖの電圧が印加される。
【００１７】
透明導電膜３Ａの４隅に配置された計４つの点電極１１Ａ、１２Ｃ、１３Ｃ、１４Ａに、ダイオード２１Ａ〜２１Ｃ，２２Ａ〜２２Ｃ，２３Ａ〜２３Ｃ，２４Ａ〜２４Ｃの降下電圧を監視する電圧監視手段としての端子３３〜３６がそれぞれ接続されている。透明導電膜３Ａの各辺には、１つずつダイオードの降下電圧を監視するための端子が形成されている。温度変化等によってダイオードの降下電圧が変動すると、検出される位置のズレが発生する。このため、コントローラ４０が端子３３〜３６を介してダイオードの降下電圧を監視し、検出電圧を補正して検出される位置のズレを回避する。
【００１８】
さらに、２つの点電極１１Ａ、１４Ａと当該２つの点電極１１Ａ、１４Ａと対角方向に配置された他の２つの点電極１２Ｃ、１３Ｃとの間にかかる電圧を測定する電圧測定手段としての電圧測定回路が下部基板３００に形成されている。電圧測定回路は、入力が１点タッチであるか又は２点タッチであるかを検出するために使用され、電圧供給端子１７、抵抗１８、端子３１，３２及びスイッチＳＷ３〜ＳＷ６を備えている。スイッチＳＷ３及びＳＷ４は第１スイッチとして機能し、スイッチＳＷ５及びＳＷ６は第２スイッチとして機能し、端子３１，３２は第１電圧測定端子として機能する。具体的には、コントローラ４０が端子３１，３２を介して、抵抗１８と、点電極間の抵抗、即ち点電極１１Ａと点電極１３Ｃとの間の対角方向の抵抗、又は点電極１４Ａと点電極１２Ｃとの間の対角方向の抵抗とによる分圧値を検出することで、入力が１点タッチであるか又は２点タッチであるかを検出する。入力が２点タッチである場合は、入力が１点タッチである場合と比べて点電極間の抵抗が減少するため、端子３１，３２を介して検出される分圧値も低下する。このため、１点タッチ時に検出される分圧値と２点タッチ時に検出される分圧値との間に閾値を設定することで、入力が１点タッチであるか又は２点タッチであるかを容易に検出することができる。
【００１９】
スイッチＳＷ３の一端は点電極１１Ａに接続され、スイッチＳＷ３の他端が抵抗１８を介して電圧供給端子１７に接続されている。また、端子３１はスイッチＳＷ３の他端に接続されている。スイッチＳＷ４の一端は点電極１４Ａに接続され、スイッチＳＷ４の他端が抵抗１８を介して電圧供給端子１７に接続されている。また、端子３２はスイッチＳＷ４の他端に接続されている。スイッチＳＷ５の一端は点電極１２Ｃに接続され、スイッチＳＷ５の他端はグランドに接続されている。スイッチＳＷ６の一端は点電極１３Ｃに接続され、スイッチＳＷ６の他端はグランドに接続されている。
【００２０】
図１（Ｃ）のコントローラ４０は、端子３１〜３６及びスイッチＳＷ１〜ＳＷ６に接続されている。また、コントローラ４０は、入力位置を示す電圧、ダイオードの降下電圧、及び分圧値を検出する検出部４１と、検出されたダイオードの降下電圧に基づいて、入力位置を示す検出電圧を補正する補正部４２と、スイッチＳＷ１〜ＳＷ６のオン・オフを制御する制御部４３とを備えている。
【００２１】
Ｘ方向の入力位置を検出する場合、制御部４３は、スイッチＳＷ１を電圧供給端子１５に接続し、スイッチＳＷ２をグランドに接続する。この場合、点電極１１Ａ〜１１Ｃと点電極１３Ａ〜１３Ｃとの間にＸ方向の電位分布が生じるので、検出部４１は電位を上部基板２００の点電極２Ｂを介して検出することで、Ｘ方向の入力位置を検出する。Ｙ方向の入力位置を検出する場合、制御部４３は、スイッチＳＷ２を電圧供給端子１６に接続し、スイッチＳＷ１をグランドに接続する。この場合、点電極１４Ａ〜１４Ｃと点電極１２Ａ〜１２Ｃとの間にＹ方向の電位分布が生じるので、検出部４１は電位を上部基板２００の点電極２Ｂを介して検出することで、Ｙ方向の入力位置を検出する。
【００２２】
また、Ｘ方向の入力位置を検出する場合、検出部４１は、端子３３及び端子３６を介してダイオード２１Ａ，２３Ｃの降下電圧を検出する。補正部４２は、検出されたダイオード２１Ａ，２３Ｃの降下電圧に基づいて、検出された電位を補正する。これにより、Ｘ方向の検出位置と実際の入力位置とのズレを回避する。Ｙ方向の入力位置を検出する場合、検出部４１は、端子３４及び端子３５を介してダイオード２４Ａ，２２Ｃの降下電圧を検出する。補正部４２は、検出されたダイオード２４Ａ，２２Ｃの降下電圧に基づいて、検出された電位を補正する。これにより、Ｙ方向の検出位置と実際の入力位置とのズレを回避する。
【００２３】
また、入力が１点タッチであるか又は２点タッチであるかを検出する場合には、制御部４３はスイッチＳＷ１及びＳＷ２をフローティング状態にし、スイッチＳＷ３及びＳＷ６をオンにし、スイッチＳＷ４及びＳＷ５をオフにする。そして、検出部４１が、端子３１を介して、抵抗１８と、点電極１１Ａと点電極１３Ｃとの間の対角方向の抵抗とによる分圧値を検出することで、入力が１点タッチであるか又は２点タッチであるかを検出する。次いで、制御部４３は、スイッチＳＷ４及びＳＷ５をオンにし、スイッチＳＷ３及びＳＷ６をオフにする。そして、検出部４１が、端子３２を介して、抵抗１８と、点電極１４Ａと点電極１２Ｃとの間の対角方向の抵抗とによる分圧値を検出することで、入力が１点タッチであるか又は２点タッチであるかを検出する。
【００２４】
図２（Ａ）及び（Ｂ）は、入力が２点タッチである例を示す図である。この例では、制御部４３が、スイッチＳＷ４及びＳＷ５をオンにし、スイッチＳＷ３及びＳＷ６をオフにしている。入力点は点Ｐ及び点Ｑで示されている。
【００２５】
ここでは、点電極１４Ａと点電極１２Ｃとの間に電圧がかかっているので、電位分布は、図２（Ｂ）の点線で示すように、点電極１４Ａと点電極１２Ｃとを結ぶ対角線に対して垂直に生じる。このため、図２（Ａ）に示すように、点電極１４Ａと点電極１２Ｃとを結ぶ対角線と略平行に２点が押下されれば、端子３２で検出される分圧値が十分に低下し、入力が２点タッチであると正確に検出できる。
【００２６】
一方、図２（Ｂ）に示すようにＸ方向と略平行に２点が押下される場合やＹ方向と略平行に２点が押下される場合には、２点の位置関係によって端子３２で検出される分圧値が十分に低下しない可能性もあるため、２点タッチであるか否かの検出精度が低下する。従って、対角方向だけではなく、Ｘ方向及びＹ方向に電圧が印加されることが求められる。
【００２７】
図３は、下部基板３００の第１変形例を示す図である。図３の下部基板３０１は、図１（Ｂ）の下部基板３００に、Ｘ方向及びＹ方向の２点タッチの検出精度を向上させる電圧測定回路を追加している。
【００２８】
具体的には、下部基板３０１は、下部基板３００の構成に加えて、端子３７，３８及びスイッチＳＷ７〜ＳＷ１０を備えている。端子３７，３８及びスイッチＳＷ７〜ＳＷ１０はコントローラ４０に接続されている。スイッチＳＷ７〜ＳＷ１０は、例えばトランジスタで構成されている。スイッチＳＷ７及びＳＷ８は第３スイッチとして機能し、スイッチＳＷ９及びＳＷ１０は第４スイッチとして機能し、端子３７，３８は第２電圧測定端子として機能する。
【００２９】
スイッチＳＷ７の一端は点電極１１Ｂに接続され、スイッチＳＷ７の他端が抵抗１８を介して電圧供給端子１７に接続されている。また、端子３７はスイッチＳＷ７の他端に接続されている。スイッチＳＷ８の一端は点電極１４Ｂに接続され、スイッチＳＷ８の他端が抵抗１８を介して電圧供給端子１７に接続されている。また、端子３８はスイッチＳＷ８の他端に接続されている。スイッチＳＷ８の一端は点電極１３Ｂに接続され、スイッチＳＷ８の他端はグランドに接続されている。スイッチＳＷ１０の一端は点電極１２Ｂに接続され、スイッチＳＷ１０の他端はグランドに接続されている。
【００３０】
Ｘ方向の１点タッチ又は２点タッチを検出する場合には、制御部４３は、スイッチＳＷ１及びＳＷ２をフローティング状態にし、スイッチＳＷ７及びＳＷ９をオンにし、スイッチＳＷ３〜ＳＷ６、ＳＷ８及びＳＷ１０をオフにする。そして、検出部４１が端子３７を介して、抵抗１８と、点電極１１Ｂと点電極１３Ｂとの間の抵抗とによる分圧値を検出することで、入力がＸ方向の１点タッチであるか又は２点タッチであるかを検出する。Ｙ方向の１点タッチ又は２点タッチを検出する場合には、制御部４３は、スイッチＳＷ１及びＳＷ２をフローティング状態にし、スイッチＳＷ８及びＳＷ１０をオンにし、スイッチＳＷ３〜ＳＷ６、ＳＷ７及びＳＷ９をオフにする。そして、検出部４１が端子３８を介して、抵抗１８と、点電極１４Ｂと点電極１２Ｂとの間の抵抗とによる分圧値を検出することで、入力がＹ方向の１点タッチであるか又は２点タッチであるかを検出する。これにより、対角方向だけではなく、Ｘ方向及びＹ方向の２点タッチの検出精度を向上させることができる。
【００３１】
検出部４１は、２点タッチ時の抵抗１８と２つの点電極間の抵抗とによる分圧値の変動、つまり点電極間の抵抗値の変動を検出している。点電極を利用する場合、２点タッチによる抵抗値の変化に加えて、２点タッチの位置によって抵抗値が変化してしまう。一方、線電極は２点タッチの位置によって抵抗値の変化が発生することはほとんどない。このため、線電極を利用する場合には、点電極を使う場合よりも２点タッチの検出精度を向上させることができる。
【００３２】
図４（Ａ）は、上部基板の第１変形例を示す図である。図４（Ｂ）は、下部基板の第２変形例を示す図である。
【００３３】
図４（Ａ）の上部基板２０１は、図１（Ａ）の上部基板２００に加えて、線電極６０、６１、電圧供給端子７０、抵抗７１、端子７２及びスイッチＳＷ１１を備えている。線電極６０、６１は透明導電膜２ＡのＹ方向に２辺に沿って透明導電膜２Ａ上にそれぞれ配置されている。
【００３４】
スイッチＳＷ１１の一端は線電極６０に接続され、スイッチＳＷ１１の他端は抵抗７１を介して電圧供給端子７０に接続されている。また、端子７２はスイッチＳＷ１１の他端に接続されている。線電極６１はグランドに接続されている。また、スイッチＳＷ１１及び端子７２はコントローラ４０に接続されている。スイッチＳＷ１１は第５スイッチとして機能し、端子７２は第３電圧測定端子として機能する。
【００３５】
図４（Ｂ）の下部基板３０２は、図３の下部基板３０１から、端子３７及びスイッチＳＷ７、ＳＷ９を取り除いている。
【００３６】
Ｘ方向の１点タッチ又は２点タッチを検出する場合には、制御部４３は、スイッチＳＷ１及びＳＷ２をフローティング状態にし、スイッチＳＷ１１をオンにし、その他のスイッチをオフにする。そして、検出部４１が端子７２を介して、抵抗７１と、線電極６０と線電極６１との間の抵抗とによる分圧値を検出することで、入力がＸ方向の１点タッチであるか又は２点タッチであるかを検出する。次いで、Ｙ方向の１点タッチ又は２点タッチを検出する場合には、制御部４３は、スイッチＳＷ１及びＳＷ２をフローティング状態にし、スイッチＳＷ８及びＳＷ１０をオンにし、スイッチＳＷ３〜ＳＷ６及びＳＷ１１をオフにする。そして、検出部４１が端子３８を介して、抵抗１８と、点電極１４Ｂと点電極１２Ｂとの間の抵抗とによる分圧値を検出することで、入力がＹ方向の１点タッチであるか又は２点タッチであるかを検出する。これにより、Ｘ方向及びＹ方向の２点タッチの検出精度を向上させることができる。特に、Ｘ方向の２点タッチの検出に線電極６０、６１を利用しているので、点電極を使う場合よりも検出精度を向上させることができる。
【００３７】
尚、Ｘ方向及びＹ方向の１点タッチ又は２点タッチの検出に加えて、上述したように点電極１１Ａと点電極１３Ｃとを通る対角方向、又は点電極１４Ａと点電極１２Ｃとを通る対角方向の１点タッチ又は２点タッチを検出してもよい。
【００３８】
図５（Ａ）は、上部基板の第２変形例を示す図である。図５（Ｂ）は、下部基板の第３変形例を示す図である。
【００３９】
図５（Ａ）の上部基板２０２は、図１（Ａ）の上部基板２００に加えて、線電極６２、６３、電圧供給端子７４、抵抗７５、端子７６及びスイッチＳＷ１２を備えている。線電極６２、６３は透明導電膜２ＡのＸ方向に２辺に沿って透明導電膜２Ａ上にそれぞれ配置されている。
【００４０】
スイッチＳＷ１２の一端は線電極６２に接続され、スイッチＳＷ１２の他端は抵抗７５を介して電圧供給端子７４に接続されている。また、端子７６はスイッチＳＷ１２の他端に接続されている。線電極６３はグランドに接続されている。また、スイッチＳＷ１２及び端子７６はコントローラ４０に接続されている。スイッチＳＷ１２は第５スイッチとして機能し、端子７６は第３電圧測定端子として機能する。
【００４１】
図５（Ｂ）の下部基板３０３は、図３の下部基板３０１から、端子３８及びスイッチＳＷ８、ＳＷ１０を取り除いている。
【００４２】
Ｘ方向の１点タッチ又は２点タッチを検出する場合には、制御部４３は、スイッチＳＷ１及びＳＷ２をフローティング状態にし、スイッチＳＷ７及びＳＷ９をオンにし、スイッチＳＷ３〜ＳＷ６及びＳＷ１２をオフにする。そして、検出部４１が端子３７を介して、抵抗１８と、点電極１１Ｂと点電極１３Ｂとの間の抵抗とによる分圧値を検出することで、入力がＸ方向の１点タッチであるか又は２点タッチであるかを検出する。次いで、Ｙ方向の１点タッチ又は２点タッチを検出する場合には、制御部４３は、スイッチＳＷ１及びＳＷ２をフローティング状態にし、スイッチＳＷ１２をオンにし、その他のスイッチをオフにする。そして、検出部４１が端子７６を介して、抵抗７５と、線電極６２と線電極６３との間の抵抗とによる分圧値を検出することで、入力がＹ方向の１点タッチであるか又は２点タッチであるかを検出する。これにより、Ｘ方向及びＹ方向の２点タッチの検出精度を向上させることができる。特に、Ｙ方向の２点タッチの検出に線電極６２、６３を利用しているので、点電極を使う場合よりも検出精度を向上させることができる。
【００４３】
尚、Ｘ方向及びＹ方向の１点タッチ又は２点タッチの検出に加えて、上述したように対角方向の１点タッチ又は２点タッチを検出してもよい。
【００４４】
図６は、１点タッチ又は２点タッチを検出する処理を示すフローチャートである。ここでは、点電極１１Ａと点電極１３Ｃとを通る対角方向の１点タッチ又は２点タッチを検出する処理を説明するが、制御部４３がオン・オフ制御をするスイッチを適宜変更することで、点電極１４Ａと点電極１２Ｃとを通る対角方向の１点タッチ又は２点タッチの検出にも本処理を適用することができる。また、上部基板２０１〜２０２及び下部基板３０１〜３０３を用いてＸ方向及びＹ方向の１点タッチ又は２点タッチの検出する場合にも、制御部４３がオン・オフ制御をするスイッチを適宜変更することで、本処理を適用することができる。
【００４５】
まず、制御部４３は、スイッチＳＷ１及びＳＷ２をフローティング状態にし、スイッチＳＷ３及びＳＷ６をオンにし、スイッチＳＷ４及びＳＷ５をオフにする（Ｓ１）。そして、検出部４１が端子３１を介して、抵抗１８と、点電極１１Ａと点電極１３Ｃとの間の対角方向の抵抗とによる分圧値を検出する（Ｓ２）。検出部４１は、タッチパネル１が入力中であるか否かを判別する（Ｓ３）。タッチパネル１が押下されず入力中でない場合には（Ｓ３でＮＯ）、検出部４１は、Ｓ２で検出された分圧値を基準電圧に設定し（Ｓ４）、手順はＳ２に戻る。タッチパネル１が入力中である場合には（Ｓ３でＹＥＳ）、検出部４１は、Ｓ２で検出された分圧値と基準電圧との差分が閾値以上であるか否かを判別する（Ｓ５）。
【００４６】
Ｓ２で検出された分圧値と基準電圧との差分が閾値以上である場合には（Ｓ５でＹＥＳ）、検出部４１は入力が２点タッチであると判定し（Ｓ６）、本処理を終了する。Ｓ２で検出された分圧値と基準電圧との差分が閾値未満である場合には（Ｓ５でＮＯ）、検出部４１は入力が１点タッチであると判定し（Ｓ７）、本処理を終了する。
【００４７】
以上説明したように、本実施の形態によれば、検出部４１がダイオードを通過しない点電極間又は線電極間の分圧値を検出しているので、温度変化等によるダイオードの降下電圧の変動の影響を無視することができる。従って、入力が１点タッチであるか又は多点タッチであるかを正確に検出することができる。特許文献１のタッチパネルではダイオードを通過した電流値を監視するので、電流計や電流値を測定するＩＣなどが必要になるが、本実施の形態では、点電極間又は線電極間の分圧値を検出するため、抵抗を設けるだけでよく、電流計や電流値を測定するＩＣを設置する場合よりも製造コストを低減できる。
【００４８】
また、ダイオードの降下電圧を監視するための４つの点電極１１Ａ、１２Ｃ、１３Ｃ、１４Ａを、入力が１点タッチであるか又は２点タッチであるかを検出する電極としても兼用しているので、部品点数を削減し、製造コストを低減できる。また、点電極１１Ａ、１２Ｃ、１３Ｃ、１４Ａと端子３３〜３６との間の配線と、点電極１１Ａ、１２Ｃ、１３Ｃ、１４ＡとスイッチＳＷ３〜ＳＷ６との間の配線とで兼用できる部分があるので、配線を別々に設ける場合に比べて、配線の設置領域や製造コストを低減できる。
【００４９】
尚、本発明は、上述した実施の形態に限定されるものではなく、その要旨を逸脱しない範囲内で種々変形して実施することが可能である。
【符号の説明】
【００５０】
１  タッチパネル、２Ａ，３Ａ  透明導電膜、１１Ａ〜１１Ｃ，１２Ａ〜１２Ｃ，１３Ａ〜１３Ｃ，１４Ａ〜１４Ｃ  点電極、１５〜１７  電圧供給端子、１８  抵抗、２１Ａ〜２１Ｃ，２２Ａ〜２２Ｃ，２３Ａ〜２３Ｃ，２４Ａ〜２４Ｃ  ダイオード、３１〜３６  端子、４０  コントローラ、４１  検出部、４２  補正部、４３  制御部、２００〜２０２  上部基板、３００〜３０３  下部基板、ＳＷ１〜ＳＷ１２  スイッチ
【図１】
2020201845.tif 000003
【図２】
2020201845.tif 000004
【図３】
2020201845.tif 000005
【図４】
2020201845.tif 000006
【図５】
2020201845.tif 000007
【図６】
2020201845.tif 000008